(57)【要約】【課題】訪問者の認証精度を向上する。【解決手段】インターホンシステム１０は、取得部２３と、録画部１４と、選択部１７と、登録部６３と、を備える。取得部２３は、施設１００の共用部１０２の画像を取得する。録画部１４は、取得部２３が取得した共用部１０２の画像を録画する。選択部１７は、録画部１４が録画した共用部１０２の画像の中から訪問者の顔が含まれる比較用画像をユーザに選択させる。登録部６３は、選択部１７で選択された比較用画像又は比較用画像から抽出した顔特徴量を、訪問者の顔認証を行う顔認証システム６の比較用データとして登録する。【選択図】図１
2019134390.tif 000002
【特許請求の範囲】
【請求項１】
施設の共用部の画像を取得する取得部と、
前記取得部が取得した前記共用部の画像を録画する録画部と、
前記録画部が録画した前記共用部の画像の中から訪問者の顔が含まれる比較用画像をユーザに選択させる選択部と、
前記選択部で選択された前記比較用画像又は前記比較用画像から抽出した顔特徴量を、前記訪問者の顔認証を行う顔認証システムの比較用データとして登録する登録部と、を備える、
インターホンシステム。
【請求項２】
前記顔認証システムと連携するように構成されている、
請求項１に記載のインターホンシステム。
【請求項３】
前記共用部に設けられたインターホン子機と、
前記施設のうち前記共用部とは異なる専有部に設けられたインターホン親機と、を備え、
前記インターホン子機からの呼び出しをトリガにして前記インターホン子機と前記インターホン親機とが通話可能であり、
前記選択部は、前記インターホン子機からの呼び出し前に前記取得部が取得した前記共用部の画像である第１画像、前記インターホン子機からの呼び出し中に前記取得部が取得した前記共用部の画像である第２画像、及び前記インターホン子機と前記インターホン親機との通話中に前記取得部が取得した前記共用部の画像である第３画像の中から前記比較用画像を前記ユーザに選択させる、
請求項１又は２に記載のインターホンシステム。
【請求項４】
前記選択部は、前記第１画像、前記第２画像、及び前記第３画像のいずれか１つの中から前記比較用画像を前記ユーザに選択させる、
請求項３に記載のインターホンシステム。
【請求項５】
前記選択部は、前記比較用画像として前記録画部が録画した複数の前記共用部の画像からなる画像群を前記ユーザに選択させる、
請求項１又は２に記載のインターホンシステム。
【請求項６】
前記顔認証システムは、前記取得部が取得した前記共用部の画像に基づく認証用データと前記登録部に登録されている前記比較用データとを比較することによって前記訪問者の顔認証を行い、
前記顔認証システムの認証結果に応じて前記共用部に設けられた電気錠の解錠を許可するか否かを判定する判定部を更に備える、
請求項１〜５のいずれか１項に記載のインターホンシステム。
【請求項７】
前記選択部で選択された前記比較用画像に対して前記電気錠の解錠を許可するか否かを設定する設定部を更に備える、
請求項６に記載のインターホンシステム。
【請求項８】
前記顔認証システムを更に備える、
請求項１〜７のいずれか１項に記載のインターホンシステム。
【請求項９】
施設の共用部の画像を取得する取得ステップと、
前記取得ステップで取得した前記共用部の画像を録画する録画ステップと、
前記録画ステップで録画した前記共用部の画像の中から訪問者の顔が含まれる比較用画像をユーザに選択させる選択ステップと、
前記選択ステップで選択された前記比較用画像又は前記比較用画像から抽出した顔特徴量を、前記訪問者の顔認証を行う顔認証システムの比較用データとして登録する登録ステップと、を備える、
登録方法。
【請求項１０】
コンピュータシステムに、
請求項９に記載の登録方法を実行させるためのプログラム。
【発明の詳細な説明】
【技術分野】
【０００１】
本開示は、一般にインターホンシステム、登録方法、及びプログラムに関し、より詳細には、マンション等の施設に設置されるインターホンシステム、登録方法、及びプログラムに関する。
【背景技術】
【０００２】
特許文献１には、集合住宅に用いられるインターホンシステムが記載されている。特許文献１に記載のインターホンシステムは、集合住宅の集合玄関に設置される集合玄関機と、集合住宅の各住戸内に設置される居室親機と、集合玄関機と各居室親機とを通信可能に接続する制御装置と、を備える。特許文献１に記載のインターホンシステムは、集合玄関機のカメラで撮像した映像に映っている訪問者と制御装置の記憶部に記憶した映像に映っている訪問者とを比較し、両者が一致する場合に居室親機の呼び出しを行わないように構成されている。
【先行技術文献】
【特許文献】
【０００３】
【特許文献１】特開２０１７−１０８３４２号公報
【発明の概要】
【発明が解決しようとする課題】
【０００４】
ところで、特許文献１に記載のようなインターホンシステムでは、訪問者の認証精度の向上が望まれている。
【０００５】
本開示は上記問題点に鑑みてなされており、訪問者の認証精度を向上することができるインターホンシステム、登録方法、及びプログラムを提供することを目的とする。
【課題を解決するための手段】
【０００６】
本開示の一態様に係るインターホンシステムは、取得部と、録画部と、選択部と、登録部と、を備える。前記取得部は、施設の共用部の画像を取得する。前記録画部は、前記取得部が取得した前記共用部の画像を録画する。前記選択部は、前記録画部が録画した前記共用部の画像の中から訪問者の顔が含まれる比較用画像をユーザに選択させる。前記登録部は、前記選択部で選択された前記比較用画像又は前記比較用画像から抽出した顔特徴量を、前記訪問者の顔認証を行う顔認証システムの比較用データとして登録する。
【０００７】
本開示の一態様に係る登録方法は、取得ステップと、録画ステップと、選択ステップと、登録ステップと、を備える。前記取得ステップは、施設の共用部の画像を取得するステップである。前記録画ステップは、前記取得ステップで取得した前記共用部の画像を録画するステップである。前記選択ステップは、前記録画ステップで録画した前記共用部の画像の中から訪問者の顔が含まれる比較用画像をユーザに選択させるステップである。前記登録ステップは、前記選択ステップで選択された前記比較用画像又は前記比較用画像から抽出した顔特徴量を、前記訪問者の顔認証を行う顔認証システムの比較用データとして登録するステップである。
【０００８】
本開示の一態様に係るプログラムは、コンピュータシステムに、前記登録方法を実行させるためのプログラムである。
【発明の効果】
【０００９】
本開示によれば、訪問者の認証精度を向上することができる、という効果がある。
【図面の簡単な説明】
【００１０】
【図１】図１は、本開示の実施形態１に係るインターホンシステムのブロック図である。
【図２】図２は、同上のインターホンシステムにおいて画像を録画する場合の動作を説明するシーケンス図である。
【図３】図３は、同上のインターホンシステムにおいて認証用の画像を登録する場合の動作を説明するシーケンス図である。
【図４】図４は、同上のインターホンシステムにおいて認証が成功した場合の動作を説明するシーケンス図である。
【図５】図５は、同上のインターホンシステムにおいて認証が成功しなかった場合の動作を説明するシーケンス図である。
【図６】図６は、本開示の実施形態２に係るインターホンシステムのインターホン親機のブロック図である。
【図７】図７は、同上のインターホンシステムにおいて電気錠の解錠を許可するか否かを設定する場合の動作を説明するシーケンス図である。
【図８】図８は、本開示の実施形態３に係るインターホンシステムの動作を説明する説明図である。
【発明を実施するための形態】
【００１１】
（実施形態１）
（１）概要
以下、本実施形態に係るインターホンシステム１０の概要について、図１を参照して説明する。
【００１２】
本実施形態に係るインターホンシステム１０は、施設１００に設置される施設用のインターホンシステムである。施設１００は、例えば、マンション等の集合住宅である。インターホンシステム１０は、図１に示すように、複数（図示例では２つ）のインターホン親機１と、インターホン子機２と、制御装置３と、顔認証システム６と、を備えている。インターホンシステム１０では、制御装置３を介して、複数のインターホン親機１の各々とインターホン子機２との間で通話可能である。言い換えると、インターホンシステム１０では、インターホン子機２からの呼び出しをトリガにしてインターホン子機２とインターホン親機１とが通話可能である。なお、顔認証システム６は、インターホンシステム１０に含まれていてもよいし、含まれていなくてもよい。言い換えると、インターホンシステム１０は、少なくとも顔認証システム６と連携するように構成されていればよい。
【００１３】
インターホン親機１は、図１に示すように、専有部１０１に設けられている。専有部１０１は、ここでは集合住宅の各住戸である。言い換えると、専有部１０１は、施設１００のうち共用部１０２（後述する）とは異なる領域である。つまり、インターホン親機１は、集合住宅の各住戸に設置される住戸端末である。インターホン親機１は、第２伝送路５２を介して制御装置３に接続されている。第２伝送路５２は、幹線５２１と、複数（図示例では２つ）の分岐線５２２と、を含む。複数の分岐線５２２の各々は、分岐器４を介して幹線５２１から分岐している。複数の分岐線５２２は、複数のインターホン親機１と一対一に対応しており、複数のインターホン親機１の各々は、対応する分岐線５２２を介して幹線５２１に接続されている。各インターホン親機１は、制御装置３を介して、インターホン子機２との間で通信（例えば、通話、及び制御信号の送信等）を行うように構成されている。
【００１４】
インターホン子機２は、図１に示すように、共用部１０２に設けられている。共用部１０２は、ここでは集合住宅の共用ロビー（共用玄関）である。つまり、インターホン子機２は、集合住宅の共用ロビーに設置されるロビーインターホンである。インターホン子機２は、第１伝送路５１を介して制御装置３に接続されている。インターホン子機２は、制御装置３を介して、各インターホン親機１との間で通信（例えば、通話、及び映像信号の送信等）を行うように構成されている。
【００１５】
制御装置３は、集合住宅の管理室等に設置されている。制御装置３は、各インターホン親機１とインターホン子機２との間の通信を中継するように構成されている。なお、第１伝送路５１及び第２伝送路５２は、いずれもツイストペア線である。つまり、実際には、第１伝送路５１及び第２伝送路５２は２本の電線で構成されるが、図面上では１本の線で表している。
【００１６】
顔認証システム６は、判定部６１２と、登録部６３と、を備える。登録部６３は、例えば、インターホン親機１の選択部１７（後述する）で選択された比較用画像を、顔認証を行うための比較用データとして登録する。判定部６１２は、認証部６１１（後述する）の認証結果に応じて電気錠５１（後述する）の解錠を許可するか否かを判定する。電気錠５１は、共用部１０２に設けられている。電気錠５１は、共用部１０２と専有部１０１とを隔てるように設けられた開閉部材５を施錠又は解錠する。開閉部材５は、ここでは自動ドアである。開閉部材５は、電気錠５１によって解錠されると自動的に開くように構成されている。また、開閉部材５は、一定時間（例えば、１分）が経過すると自動的に閉じるように構成されている。
【００１７】
本実施形態に係るインターホンシステム１０は、取得部２３と、録画部１４と、選択部１７と、登録部６３と、を備える。取得部２３は、施設１００の共用部１０２の画像を取得する。録画部１４は、取得部２３が取得した共用部１０２の画像を録画する。選択部１７は、録画部１４が録画した共用部１０２の画像の中から訪問者の顔が含まれる比較用画像をユーザに選択させる。登録部６３は、選択部１７で選択された比較用画像又は比較用画像から抽出した顔特徴量を、訪問者の顔認証を行う顔認証システム６の比較用データとして登録する。ここでいう「ユーザ」には、集合住宅の各住戸の住人が含まれる。また、ここでいう「訪問者」には、配達業者、清掃業者等の外部の人間だけでなく、各住戸の住人も含まれる。
【００１８】
本実施形態に係るインターホンシステム１０では、録画部１４が録画した共用部１０２の画像の中から認証用の比較用画像を選択可能である。そのため、録画部１４が録画した共用部１０２の画像の中から顔認証に適した比較用画像を選択することによって、訪問者の認証精度を向上させることができる。
【００１９】
（２）詳細
以下、本実施形態に係るインターホンシステム１０の詳細について、図１を参照して説明する。
【００２０】
（２．１）インターホン親機
まず、インターホン親機１の構成について説明する。インターホン親機１は、図１に示すように、親機側制御部１１と、親機側通信部１２と、親機側表示部１３と、録画部１４と、親機側操作部１５と、親機側記憶部１６と、を備えている。さらに、インターホン親機１は、インターホン子機２との間で通話を実現するための親機側通話部（スピーカ及びマイクロホンを含む）等を備えている。
【００２１】
親機側制御部１１は、プロセッサ及びメモリを有するマイクロコンピュータで構成されている。つまり、親機側制御部１１は、プロセッサ及びメモリを有するコンピュータシステムで実現されている。そして、プロセッサが適宜のプログラムを実行することにより、コンピュータシステムが親機側制御部１１として機能する。プログラムは、メモリに予め記録されていてもよいし、インターネット等の電気通信回線を通じて、又はメモリカード等の非一時的な記録媒体に記録されて提供されてもよい。
【００２２】
親機側通信部１２は、インターホン子機２と通信するための通信インターフェースである。親機側通信部１２は、図１に示すように、第２伝送路５２を介して制御装置３に接続されている。親機側通信部１２は、制御装置３を介して、インターホン子機２との間で双方向に通信可能に構成されている。親機側通信部１２は、音声信号及び制御信号等を含む通信信号をインターホン子機２に送信する。また、親機側通信部１２は、インターホン子機２から送信される通信信号を受信し、この通信信号を復調することで音声信号及び映像信号等を取得する。音声信号は、親機側制御部１１を介して親機側通話部へ出力され、映像信号は、親機側制御部１１を介して親機側表示部１３へ出力される。
【００２３】
親機側表示部１３は、例えば、液晶ディスプレイである。親機側表示部１３は、インターホン子機２の取得部２３が取得した共用部１０２の画像等を表示する。また、親機側表示部１３は、親機側記憶部１６に記憶されている共用部１０２の画像、言い換えると録画部１４が録画した共用部１０２の画像を表示可能に構成されている。ユーザは、親機側表示部１３に表示されている共用部１０２の画像の中から、顔認証に適した比較用画像を選択することができる。つまり、親機側表示部１３は、比較用画像を選択するための選択画面を表示可能である。本実施形態では、親機側表示部１３が選択部１７として機能する。
【００２４】
録画部１４は、取得部２３が取得した共用部１０２の画像を録画する機能を有する。言い換えると、録画部１４は、インターホン子機２から送られてきた共用部１０２の画像を親機側記憶部１６に記憶させる。なお、本実施形態では、後述する取得部２３は動画を撮像するカメラである。そのため、親機側記憶部１６に記憶させる共用部１０２の画像は、インターホン子機２において取得部２３が取得した動画から複数枚の画像を作成してもよいし、インターホン親機１において上記動画から複数枚の画像を作成してもよい。以下では、録画部１４が録画した共用部１０２の画像を「録画画像」ともいう。
【００２５】
親機側操作部１５は、各住戸の住人の操作入力を受け付けるように構成されている。親機側操作部１５は、例えば、テンキー、「通話」ボタン、「解錠」ボタン等の複数の押ボタンスイッチを有する入力インターフェースである。「通話」ボタンは、インターホン親機１とインターホン子機２との通話を開始（許可）するためのボタンである。「解錠」ボタンは、開閉部材５の電気錠５１を解錠するためのボタンである。なお、インターホン親機１がタッチパネルディスプレイを備えている場合には、タッチパネルディスプレイによって親機側表示部１３と親機側操作部１５とが兼用されていてもよい。
【００２６】
親機側記憶部１６は、例えば、フラッシュメモリ等の読み書き可能なメモリで構成されている。親機側記憶部１６は、インターホン親機１に対して個別に割り当てられたアドレス情報（識別情報）を記憶する。また、親機側記憶部１６は、インターホン子機２から送られてくる共用部１０２の画像を記憶する。
【００２７】
（２．２）インターホン子機
次に、インターホン子機２の構成について説明する。インターホン子機２は、図１に示すように、子機側制御部２１と、子機側通信部２２と、取得部２３と、子機側表示部２４と、子機側操作部２５と、子機側記憶部２６と、出力部２７と、第２通信部２８と、を備えている。さらに、インターホン子機２は、インターホン親機１との間で通話を実現するための子機側通話部（スピーカ及びマイクロホンを含む）等を備えている。
【００２８】
子機側制御部２１は、プロセッサ及びメモリを有するマイクロコンピュータで構成されている。つまり、子機側制御部２１は、プロセッサ及びメモリを有するコンピュータシステムで実現されている。そして、プロセッサが適宜のプログラムを実行することにより、コンピュータシステムが子機側制御部２１として機能する。プログラムは、メモリに予め記録されていてもよいし、インターネット等の電気通信回線を通じて、又はメモリカード等の非一時的な記録媒体に記録されて提供されてもよい。
【００２９】
子機側通信部２２は、インターホン親機１と通信するための通信インターフェースである。子機側通信部２２は、図１に示すように、第１伝送路５１を介して制御装置３に接続されている。子機側通信部２２は、制御装置３を介して、インターホン親機１との間で双方向に通信可能に構成されている。子機側通信部２２は、音声信号及び映像信号等を含む通信信号をインターホン親機１に送信する。また、子機側通信部２２は、インターホン親機１から送信される通信信号を受信し、この通信信号を復調することで音声信号等を取得する。音声信号は、子機側制御部２１を介して子機側通話部へ出力される。
【００３０】
取得部２３は、例えば、被写体（訪問者等）を撮像するためのカメラである。取得部２３の撮像エリア（視野）は、訪問者がインターホン子機２を操作する際に少なくとも訪問者の顔を撮像できるように、インターホン子機２の前方に設定されている。本実施形態では、取得部２３は、動画を撮像するカメラである。さらに、本実施形態では、取得部２３は、カラー画像を撮像するカメラである。なお、取得部２３は、静止画を撮像するカメラであってもよいし、モノクロ画像を撮像するカメラであってもよい。また、取得部２３は、カメラに限らず、外部に設けられたカメラからの画像を取得するように構成されていてもよい。
【００３１】
子機側表示部２４は、例えば、液晶ディスプレイである。子機側表示部２４は、取得部２３が取得した共用部１０２の画像を表示する。
【００３２】
子機側操作部２５は、集合住宅への訪問者の操作入力を受け付けるように構成されている。子機側操作部２５は、テンキー、「呼出」ボタン等の複数の押ボタンスイッチを有する入力インターフェースである。「呼出」ボタンは、各住戸を呼び出すためのボタンである。例えば、訪問者が、テンキーを用いて住戸番号等を入力した後、「呼出」ボタンを押すことによって、対象の住戸を呼び出すことができる。これに対して、対象の住戸の住人が、親機側操作部１５に含まれる「通話」ボタンを押すことによって、インターホン親機１とインターホン子機２との間で音声通話を行うことができる。なお、インターホン子機２がタッチパネルディスプレイを備えている場合には、タッチパネルディスプレイによって子機側表示部２４と子機側操作部２５とが兼用されていてもよい。
【００３３】
子機側記憶部２６は、例えば、フラッシュメモリ等の読み書き可能なメモリで構成されている。子機側記憶部２６は、取得部２３が取得（撮像）した共用部１０２の画像を記憶する。
【００３４】
出力部２７は、開閉部材５を解錠するための解錠信号Ｓｉｇ２を出力するように構成されている。出力部２７は、例えば、顔認証システム６の認証結果に応じて、開閉部材５に対して解錠信号Ｓｉｇ２を出力する。開閉部材５は、解錠信号Ｓｉｇ２によって解錠され、かつ自動的に開かれる。
【００３５】
第２通信部２８は、顔認証システム６と通信するための通信インターフェースである。第２通信部２８は、顔認証システム６との間で双方向に通信可能に構成されている。第２通信部２８は、取得部２３が取得した共用部１０２の画像を含む通信信号を顔認証システム６に送信する。また、第２通信部２８は、顔認証システム６からの解錠信号Ｓｉｇ１を受信する。この解錠信号Ｓｉｇ１は、後述する判定部６１２の判定結果に応じて顔認証システム６から送信される。
【００３６】
（２．３）制御装置
次に、制御装置３の構成について説明する。制御装置３は、図１に示すように、制御部３１と、通信部３２と、記憶部３３と、を備えている。
【００３７】
制御部３１は、プロセッサ及びメモリを有するマイクロコンピュータで構成されている。つまり、制御部３１は、プロセッサ及びメモリを有するコンピュータシステムで実現されている。そして、プロセッサが適宜のプログラムを実行することにより、コンピュータシステムが制御部３１として機能する。プログラムは、メモリに予め記録されていてもよいし、インターネット等の電気通信回線を通じて、又はメモリカード等の非一時的な記録媒体に記録されて提供されてもよい。
【００３８】
通信部３２は、第１伝送路５１を介して、インターホン子機２の子機側通信部２２に接続されている。また、通信部３２は、第２伝送路５２を介して、各インターホン親機１の親機側通信部１２に接続されている。通信部３２は、インターホン子機２から送信される通信信号を受信し、この通信信号に含まれる住戸番号に対応するアドレスが割り当てられたインターホン親機１に対して当該通信信号を送信する。また、通信部３２は、インターホン親機１から送信される通信信号を受信し、この通信信号をインターホン子機２に送信する。つまり、通信部３２は、インターホン親機１とインターホン子機２とを接続し、両者間での通信（通話）を中継する。
【００３９】
記憶部３３は、例えば、フラッシュメモリ等の読み書き可能なメモリで構成されている。記憶部３３は、集合住宅の各住戸（専有部１０１）の住戸番号と、各住戸内に設置されるインターホン親機１に個別に割り当てられるアドレスとを紐付けて記憶する。したがって、制御部３１は、記憶部３３に記憶させた住戸番号とアドレスとの対応関係に基づいてインターホン子機２からの通信信号に含まれる住戸番号をアドレスに変換し、このアドレスを含む通信信号を通信部３２から各インターホン親機１に送信させる。各インターホン親機１では、通信信号に含まれるアドレスが自己に割り当てられたアドレスと一致する場合に通信信号を受信し、一致しなければ通信信号を破棄する。
【００４０】
（２．４）顔認証システム
次に、顔認証システム６の構成について説明する。顔認証システム６は、図１に示すように、制御部６１と、通信部６２と、登録部６３と、記憶部６４と、を備えている。また、制御部６１は、図１に示すように、認証部６１１と、判定部６１２と、を有している。
【００４１】
制御部６１は、プロセッサ及びメモリを有するマイクロコンピュータで構成されている。つまり、制御部６１は、プロセッサ及びメモリを有するコンピュータシステムで実現されている。そして、プロセッサが適宜のプログラムを実行することにより、コンピュータシステムが制御部６１として機能する。プログラムは、メモリに予め記録されていてもよいし、インターネット等の電気通信回線を通じて、又はメモリカード等の非一時的な記録媒体に記録されて提供されてもよい。
【００４２】
認証部６１１は、インターホン子機２の取得部２３が取得した共用部１０２の画像（以下、「取得画像」ともいう）に基づいて訪問者の認証を行うように構成されている。具体的には、認証部６１１は、取得画像に含まれる訪問者の顔画像と登録部６３に登録されている比較用画像に含まれる訪問者の顔画像とを比較し、両者が一致するか否かを判定する。そして、認証部６１１は、両者が一致する場合には正規に登録されている人物であると判定し、両者が一致しない場合には未登録の人物であると判定する。言い換えると、顔認証システム６は、取得部２３が取得した共用部１０２の画像に基づく認証用データと登録部６３に登録されている比較用データとを比較することによって訪問者の顔認証を行う。ここでいう「両者が一致する場合」には、両者が完全に一致する場合と、両者の差分が所定範囲内にある場合とが含まれる。
【００４３】
判定部６１２は、電気錠５１の解錠を許可するか否かを判定するように構成されている。具体的には、判定部６１２は、認証部６１１（顔認証システム６）の認証結果に応じて電気錠５１の解錠を許可するか否かを判定する。さらに具体的には、判定部６１２は、認証部６１１の認証結果から、取得画像に含まれる訪問者が正規に登録されている人物であれば電気錠５１の解錠を許可し、未登録の人物であれば電気錠５１の解錠を許可しない。制御部６１は、判定部６１２の判定結果から電気錠５１の解錠を許可する場合には解錠信号Ｓｉｇ１を作成し、この解錠信号Ｓｉｇ１を通信部６２からインターホン子機２に送信させる。
【００４４】
通信部６２は、インターホン子機２と通信するための通信インターフェースである。通信部６２は、インターホン子機２との間で双方向に通信可能に構成されている。通信部６２は、判定部６１２の判定結果に応じて制御部６１が作成した解錠信号Ｓｉｇ１をインターホン子機２に送信する。また、通信部６２は、インターホン子機２の取得部２３が取得した共用部１０２の画像を含む通信信号をインターホン子機２から受信する。さらに、通信部６２は、インターホン親機１の選択部１７で選択された比較用画像のデータ（比較用データ）を含む通信信号をインターホン子機２から受信する。
【００４５】
登録部６３は、通信部６２が受信した通信信号に含まれる比較用データを登録する。言い換えると、登録部６３は、比較用データを記憶部６４に記憶させる。登録部６３は、訪問者ごとに比較用データを登録する。ここでいう「比較用データ」は、インターホン子機２の取得部２３が取得した共用部１０２の画像に含まれる訪問者が、正規に登録されている人物か否かを判定するためのデータであり、ここでは訪問者の顔が含まれる画像データである。
【００４６】
記憶部６４は、例えば、フラッシュメモリ等の読み書き可能なメモリで構成されている。記憶部６４は、本実施形態では、インターホン親機１の選択部１７で選択された比較用画像を訪問者ごとに記憶する。
【００４７】
（３）動作
次に、本実施形態に係るインターホンシステム１０の動作について説明する。
【００４８】
（３．１）録画動作
まず、取得部２３が取得した画像を録画する場合のインターホンシステム１０の動作について、図２を参照して説明する。
【００４９】
訪問者が、インターホン子機２の子機側操作部２５のテンキーにより住戸番号（部屋番号）を入力した後、「呼出」ボタンを押すと（ステップＳ１０１，Ｓ１０２）、子機側制御部２１は、取得部２３に共用部１０２の画像を取得させる。子機側制御部２１は、取得部２３が取得した共用部１０２の画像を含む通信信号を作成し、この通信信号を子機側通信部２２からインターホン親機１に送信させる（ステップＳ１０３）。
【００５０】
インターホン親機１では、親機側制御部１１は、親機側通信部１２が受信した通信信号に含まれる共用部１０２の画像を録画部１４に録画させる（ステップＳ１０４）。またこのとき、親機側制御部１１は、共用部１０２の画像を親機側表示部１３に表示させる。次に、親機側制御部１１は、呼出音（例えば、「ピンポーン」等）を親機側通話部のスピーカから出力させる（ステップＳ１０５）。
【００５１】
呼出音を聞いた住人（ユーザ）は、親機側表示部１３に表示されている訪問者を確認した後、親機側操作部１５の「通話」ボタンを押すことによって、インターホン親機１とインターホン子機２との通話が可能になる（ステップＳ１０６）。その後、ユーザが、通話応答中（ステップＳ１０７）に所定操作（例えば、「通話」ボタンを押す等）を行うと、親機側制御部１１は、録画部１４による録画を終了し（ステップＳ１０８）、さらにインターホン子機２との通話を終了する（ステップＳ１０９）。
【００５２】
（３．２）登録動作
次に、録画部１４が録画した共用部１０２の画像（録画画像）の中から選択した比較用画像を登録する場合のインターホンシステム１０の動作について、図３を参照して説明する。以下では、各種機能を選択するためのメニュー画面が親機側表示部１３に予め表示されていると仮定して説明する。
【００５３】
ユーザが、親機側表示部１３に表示されているメニュー画面において「登録」を選択すると（ステップＳ２０１）、親機側制御部１１は、親機側記憶部１６に記憶されている複数枚の録画画像を読み出し、これらの録画画像を親機側表示部１３に表示させる。ユーザは、親機側表示部１３に表示されている複数枚の録画画像の中から、顔認証に適した比較用画像、つまり訪問者の顔が含まれる比較用画像を選択する（ステップＳ２０２）。その後、ユーザは、選択した比較用画像を顔認証システム６に転送するために、「画像の転送」を選択する（ステップＳ２０３）。
【００５４】
親機側制御部１１は、ユーザが選択した比較用画像、及びインターホン親機１のアドレスを含む通信信号を作成し、この通信信号を親機側通信部１２から顔認証システム６に送信させる（ステップＳ２０４）。上記通信信号は、制御装置３及びインターホン子機２を経由して顔認証システム６に送信されるが、通信信号に含まれるアドレスについては、制御装置３においてアドレスから住戸番号（部屋番号）に変換される。
【００５５】
顔認証システム６では、制御部６１は、通信部６２が受信した通信信号に含まれる比較用画像のデータ（比較用データ）を登録部６３に登録させる（ステップＳ２０５）。言い換えると、登録部６３は、比較用データを住戸番号に紐付けて記憶部６４に記憶させる。制御部６１は、比較用データの登録が完了すると、登録が完了したことを通知する登録完了通知及び住戸番号を含む通信信号を作成し、この通信信号を通信部６２からインターホン親機１に送信させる（ステップＳ２０６）。上記通信信号に含まれる住戸番号は、制御装置３においてインターホン親機１のアドレスに変換される。
【００５６】
インターホン親機１では、親機側制御部１１は、親機側通信部１２が受信した通信信号に含まれる登録完了通知により、比較用画像（比較用データ）が顔認証システム６で登録されたことを確認する（ステップＳ２０７）。そして、親機側制御部１１は、比較用画像の登録動作を終了する（ステップＳ２０８）。
【００５７】
ところで、録画部１４は、録画画像として、第１画像、第２画像及び第３画像を録画するように構成されていることが好ましい。第１画像は、インターホン子機２からの呼び出し前に取得部２３が取得する画像であり、例えば、人感センサによって訪問者を検知してから訪問者が「呼出」ボタンを押すまでの画像である。第２画像は、インターホン子機２からの呼び出し中に取得部２３が取得する画像であり、訪問者が「呼出」ボタンを押してから住人が「通話」ボタンを押すまで画像である。第３画像は、インターホン親機１とインターホン子機２との通話中に取得部２３が取得する画像であり、インターホン親機１とインターホン子機２との通話開始から通話終了までの画像である。この場合、住人は、第１画像、第２画像及び第３画像の中から比較用画像を選択してもよいし、第１画像、第２画像及び第３画像のいずれか１つの中から比較用画像を選択してもよい。
【００５８】
（３．３）顔認証成功時の動作
次に、顔認証システム６において顔認証に成功した場合のインターホンシステム１０の動作について、図４を参照して説明する。
【００５９】
訪問者が、インターホン子機２の子機側操作部２５のテンキーにより住戸番号（部屋番号）を入力した後、「呼出」ボタンを押すと（ステップＳ３０１，Ｓ３０２）、子機側制御部２１は、取得部２３に共用部１０２の画像を取得させる。子機側制御部２１は、取得部２３が取得した共用部１０２の画像（取得画像）を含む通信信号を作成し、この通信信号を第２通信部２８から顔認証システム６に送信させる（ステップＳ３０３）。
【００６０】
顔認証システム６では、制御部６１の認証部６１１は、通信部６２が受信した通信信号に含まれる取得画像に基づいて訪問者の顔認証を行う（ステップＳ３０４，３０５）。具体的には、認証部６１１は、取得画像に含まれる顔画像と記憶部６４に記憶されている顔画像とを比較し、両者が一致するか否かを判定する。判定部６１２は、認証部６１１の認証結果に応じて電気錠５１の解錠を許可するか否かを判定する。図４の例では、認証部６１１は、両者が一致すると判定しており、判定部６１２は、認証部６１１の認証結果から電気錠５１の解錠を許可する。制御部６１は、判定部６１２の判定結果に基づいて解錠信号Ｓｉｇ１を作成し、この解錠信号Ｓｉｇ１を通信部６２からインターホン子機２に送信させる（ステップＳ３０６）。
【００６１】
インターホン子機２では、子機側制御部２１は、第２通信部２８が受信した解錠信号Ｓｉｇ１に基づいて、電気錠５１の解錠を許可する解錠通知及び上記取得画像（顔認証システム６で使用した画像と同じ画像）を含む通信信号を作成する。そして、子機側制御部２１は、作成した通信信号を子機側通信部２２からインターホン親機１に送信させる（ステップＳ３０７，３０８）。また、子機側制御部２１は、解錠信号Ｓｉｇ２を作成し、この解錠信号Ｓｉｇ２を出力部２７から開閉部材５の電気錠５１に送信させる（ステップＳ３０９）。
【００６２】
インターホン親機１では、親機側制御部１１は、親機側通信部１２がインターホン子機２からの通信信号を受信すると、来客通知を行う（ステップＳ３１０）。具体的には、親機側制御部１１は、上記通信信号に含まれる取得画像を親機側表示部１３に表示させ、かつ録画部１４に録画させる。また、親機側制御部１１は、親機側通話部のスピーカから呼出音を出力させる。その後、親機側制御部１１は、訪問者の呼び出しを受け付けたことを通知する受付完了通知を含む通信信号を作成し、この通信信号を親機側通信部１２からインターホン子機２に送信させる（ステップＳ３１１）。インターホン子機２の子機側制御部２１は、子機側通信部２２が受信した通信信号に含まれる受付完了通知により、インターホン親機１の親機側制御部１１が訪問者の呼び出しを受け付けたことを確認する。
【００６３】
開閉部材５では、インターホン子機２からの解錠信号Ｓｉｇ２によって電気錠５１が解錠される（ステップＳ３１２）。電気錠５１が解錠されると、開閉部材５が自動的に開かれ、一定時間（例えば、１分）が経過すると開閉部材５が自動的に閉じられる。
【００６４】
（３．４）顔認証失敗時の動作
次に、顔認証システム６において顔認証に失敗した場合のインターホンシステム１０の動作について、図５を参照して説明する。なお、ステップＳ４０１〜Ｓ４０５については、ステップＳ３０１〜３０５と同様であるため、ここでは説明を省略する。
【００６５】
図５の例では、認証部６１１は、両者が一致しないと判定しており、判定部６１２は、電気錠５１の解錠を許可しない。制御部６１は、認証部６１１の認証結果を含む通信信号を作成し、この通信信号を通信部６２からインターホン子機２に送信させる（ステップＳ４０６）。
【００６６】
インターホン子機２では、子機側制御部２１は、第２通信部２８が受信した通信信号に、認証に失敗したことを通知する認証結果通知が含まれていることから、解錠信号Ｓｉｇ２を作成しない。また、子機側制御部２１は、取得画像を含む通信信号を作成し、この通信信号を子機側通信部２２からインターホン親機１に送信させる（ステップＳ４０７）。
【００６７】
インターホン親機１では、親機側制御部１１は、親機側通信部１２が受信した通信信号に含まれる取得画像を親機側表示部１３に表示させ、かつ録画部１４に録画させる。また、親機側制御部１１は、親機側通話部のスピーカから呼出音を出力させる。
【００６８】
呼出音を聞いた住人（ユーザ）は、親機側表示部１３に表示されている訪問者を見た後、訪問者と通話を行うために親機側操作部１５の「通話」ボタンを押す。これにより、インターホン親機１とインターホン子機２との通話が開始される（ステップＳ４０８）。
【００６９】
通話応答中（ステップＳ４０９）において、住人が親機側操作部１５の「解錠」ボタンを押すと（ステップＳ４１０）、親機側制御部１１は、解錠通知を含む通信信号を作成し、親機側通信部１２からインターホン子機２に送信させる（ステップＳ４１１）。そして、親機側制御部１１は、「解錠」ボタンが押されてから一定時間（例えば、５秒）が経過すると、インターホン子機２との通話を終了する（ステップＳ４１３）。
【００７０】
インターホン子機２では、子機側制御部２１は、子機側通信部２２が受信した通信信号に含まれる解錠通知に基づいて解錠信号Ｓｉｇ２を作成し、この解錠信号Ｓｉｇ２を出力部２７から開閉部材５に出力させる（ステップＳ４１２）。そして、開閉部材５では、インターホン子機２からの解錠信号Ｓｉｇ２によって電気錠５１が解錠される（ステップＳ４１４）。
【００７１】
（４）効果
本実施形態に係るインターホンシステム１０は、取得部２３と、録画部１４と、選択部１７と、登録部６３と、を備える。取得部２３は、施設１００の共用部１０２の画像を取得する。録画部１４は、取得部２３が取得した共用部１０２の画像を録画する。選択部１７は、録画部１４が録画した共用部１０２の画像の中から訪問者の顔が含まれる比較用画像をユーザに選択させる。登録部６３は、選択部１７で選択された比較用画像又は比較用画像から抽出した顔特徴量を、訪問者の顔認証を行う顔認証システム６の比較用データとして登録する。上述のように、録画部１４が録画した共用部１０２の画像（録画画像）の中から顔認証のための比較用画像を選択可能であり、顔認証に適した比較用画像を選択することで訪問者の認証精度を向上させることができる。
【００７２】
また、顔認証システム６は、取得部２３が取得した共用部１０２の画像に基づく認証用データと登録部６３によって登録された比較用データとを比較することによって訪問者の顔認証を行う。そして、顔認証システム６の判定部６１２は、顔認証システム６の認証結果に応じて共用部１０２に設けられた電気錠５１の解錠を許可するか否かを判定する。このように、顔認証システム６の認証結果に応じて電気錠５１の解錠が可能であり、利便性が向上するという利点もある。
【００７３】
さらに、本実施形態に係るインターホンシステム１０では、インターホン子機２の取得部２３（カメラ）を利用しており、顔認証のためのカメラが不要であることから、顔認証システムの導入コストを低減することができる。また、本実施形態に係るインターホンシステム１０は、顔認証システム６を更に備えている。そのため、顔認証のための別システムが不要であるという利点もある。
【００７４】
（５）変形例
実施形態１は、本開示の様々な実施形態の一つに過ぎない。実施形態１は、本開示の目的を達成できれば、設計等に応じて種々の変更が可能である。また、インターホンシステム１０と同様の機能は、登録方法、コンピュータプログラム、又はコンピュータプログラムを記録した非一時的な記録媒体等で具現化されてもよい。
【００７５】
一態様に係る登録方法は、取得ステップと、録画ステップと、選択ステップと、登録ステップと、を備える。取得ステップは、施設１００の共用部１０２の画像を取得するステップである。録画ステップは、取得ステップで取得した共用部１０２の画像を録画するステップである。選択ステップは、録画ステップで録画した共用部１０２の画像の中から訪問者の顔が含まれる比較用画像をユーザに選択させるステップである。登録ステップは、選択ステップで選択された比較用画像又は比較用画像から抽出した顔特徴量を、訪問者の顔認証を行う顔認証システム６の比較用データとして登録するステップである。
【００７６】
一態様に係るプログラムは、コンピュータシステムに、上述の登録方法を実行させるためのプログラムである。
【００７７】
以下、実施形態１の変形例を列挙する。以下に説明する変形例は、適宜組み合わせて適用可能である。
【００７８】
本開示における顔認証システム６及びインターホンシステム１０の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における顔認証システム６及びインターホンシステム１０の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００７９】
また、親機側制御部１１、子機側制御部２１、制御部３１，６１の各々の機能は、１つの装置に設けられていてもよいし、複数の装置に分散して設けられていてもよい。さらに、親機側制御部１１、子機側制御部２１、制御部３１，６１の各々の少なくとも一部の機能は、例えば、クラウド（クラウドコンピューティング）によって実現されていてもよい。
【００８０】
実施形態１では、取得部２３がインターホン子機２に設けられているが、取得部は、例えば、共用部１０２に設けられた別のカメラであってもよいし、各住戸の玄関に設けられたドアホン子機に内蔵されたカメラであってもよい。
【００８１】
実施形態１では、選択部１７がインターホン親機１に設けられているが、選択部は、例えば、インターホン子機２に設けられていてもよいし、顔認証システム６に設けられていてもよいし、住人が所有するスマートフォン等に設けられていてもよい。
【００８２】
実施形態１では、登録部６３が顔認証システム６に設けられているが、登録部は、例えば、インターホン子機２に設けられていてもよいし、インターホン親機１に設けられていてもよいし、クラウドによって実現されてもよい。
【００８３】
実施形態１では、録画部１４がインターホン親機１に設けられているが、録画部は、例えば、インターホン子機２に設けられていてもよいし、顔認証システム６に設けられていてもよい。
【００８４】
共用部１０２に設けられた人感センサによって訪問者が検知された時点で取得部２３が共用部１０２の画像を取得するように構成されていてもよい。この場合、顔認証のみで電気錠５１の解錠が可能になり、例えば、荷物等によって両手が塞がっている状況であっても電気錠５１を解錠することができる。
【００８５】
比較用データは、比較用画像のデータに限らず、比較用画像から抽出した顔特徴量のデータであってもよい。
【００８６】
実施形態１では、顔認証システム６に登録されているか否かによって、電気錠５１の解錠を許可又は禁止しているが、以下の態様も可能である。
【００８７】
顔認証システム６に登録されているか否かによって、インターホン子機２での操作手順を異ならせてもよい。特に、顔認証システム６に登録されている場合には、一部の手順を省略してもよい。
【００８８】
顔認証システム６に登録されている場合において、対象者の属性（配達業者、住人等）によって処理を異ならせてもよい。例えば、配達業者と住人とで呼出音を異ならせてもよいし、配達業者と住人との一方において呼出音を停止してもよい。
【００８９】
また、顔認証システム６に登録されている場合において、親機側表示部１３に表示させるメニュー画面を対象者の属性によって異ならせてもよい。例えば、対象者が子供である場合には、親機側表示部１３に表示させる文字をひらがなのみで表示することが好ましい。
【００９０】
施設１００は、マンション等の集合住宅に限らず、例えば、サービス付き高齢者向け住宅であってもよいし、商業施設（例えば、ショッピングセンター）、オフィスビル等の非住宅であってもよい。
【００９１】
（実施形態２）
本実施形態に係るインターホンシステム１０は、インターホン親機１が設定部１８を備えている点で実施形態１に係るインターホンシステム１０と異なっている。なお、それ以外の構成については、実施形態１に係るインターホンシステム１０と同様であり、同一の構成要素には同一の符号を付して詳細な説明を省略する。
【００９２】
本実施形態に係るインターホンシステム１０は、複数のインターホン親機１と、インターホン子機２と、制御装置３と、顔認証システム６と、を備えている（図１参照）。また、インターホン親機１は、図６に示すように、親機側制御部１１と、親機側通信部１２と、親機側表示部１３（選択部１７）と、録画部１４と、親機側操作部１５と、親機側記憶部１６と、設定部１８と、を備えている。
【００９３】
設定部１８は、選択部１７で選択された比較用画像に対して電気錠５０の解錠を許可するか否かを設定するように構成されている。設定部１８は、複数の比較用画像がある場合には、複数の比較用画像の各々に対して電気錠５０の解錠を許可するか否かを設定することができる。
【００９４】
次に、本実施形態に係るインターホンシステム１０の動作について、図７を参照して説明する。
【００９５】
ユーザが、親機側表示部１３に表示されているメニュー画面において「登録」を選択すると（ステップＳ５０１）、親機側制御部１１は、親機側記憶部１６に記憶されている複数枚の録画画像を読み出し、これらの録画画像を親機側表示部１３に表示させる。ユーザは、親機側表示部１３に表示されている複数枚の録画画像の中から、顔認証に適した比較用画像、つまり訪問者の顔が含まれる比較用画像を選択する（ステップＳ５０２）。また、ユーザは、選択した録画画像（比較用画像）に対して電気錠５０の解錠を許可するか否かを選択（設定）する（ステップＳ５０３）。そして、ユーザは、選択した比較用画像、及び当該比較用画像の設定情報を顔認証システム６に転送するために、比較用画像及び設定情報の転送を選択する（ステップＳ５０４）。
【００９６】
親機側制御部１１は、選択された比較用画像、当該比較用画像の設定情報、及びインターホン親機１のアドレスを含む通信信号を作成し、この通信信号を親機側通信部１２から顔認証システム６に送信させる（ステップＳ５０５）。上記通信信号は、制御装置３及びインターホン子機２を経由して顔認証システム６に送信されるが、通信信号に含まれるアドレスについては、制御装置３においてアドレスから住戸番号に変換される。
【００９７】
顔認証システム６では、制御部６１は、通信部６２が受信した通信信号に含まれる比較用画像、及び当該比較用画像の設定情報を登録部６３に登録させる（ステップＳ５０６，５０７）。このとき、登録部６３は、比較用画像及び設定情報を住戸番号に紐付けて登録する。制御部６１は、比較用画像及び設定情報の登録が完了すると、登録完了通知及び住戸番号を含む通信信号を作成し、この通信信号を通信部６２からインターホン親機１に送信させる（ステップＳ５０８）。上記通信信号に含まれる住戸番号は、制御装置３においてインターホン親機１のアドレスに変換される。
【００９８】
インターホン親機１では、親機側制御部１１は、親機側通信部１２が受信した通信信号に含まれる登録完了通知により、比較用画像及び設定情報が顔認証システム６で登録されたことを確認する（ステップＳ５０９）。そして、親機側制御部１１は、比較用画像及び設定情報の登録動作を終了する（ステップＳ５１０）。
【００９９】
なお、電気錠５０の解錠が許可されている場合のインターホンシステム１０の動作については、実施形態１の「（３．３）顔認証成功時の動作」と同様であり、ここでは説明を省略する。
【０１００】
また、電気錠５０の解錠が禁止されている（許可されていない）場合のインターホンシステム１０の動作については、実施形態１の「（３．４）顔認証失敗時の動作」と同様であり、ここでは説明を省略する。但し、この場合でも、住人が、訪問者との通話中に「解錠」ボタンを押すことで電気錠５０を解錠することができる。
【０１０１】
ところで、複数の住戸（専有部１０１）において特定の人物に対して電気錠５０の解錠を許可しないように設定されている場合、言い換えると複数の住戸において特定の人物がブラックリストに上がっている場合を想定する。この場合、残りの住戸においても特定の人物がブラックリストに上げられる可能性が高く、そのため規定数以上の住戸においてブラックリストに上げられている人物については、集合住宅全体のブラックリストとして管理することが好ましい。
【０１０２】
また、ブラックリストに上げられている人物については、当該人物から呼び出しが行われた場合でも、インターホン親機１において住人の呼び出しを行わないようにすることが好ましい。
【０１０３】
本実施形態に係るインターホンシステム１０は、選択部１７で選択された比較用画像に対して電気錠５０の解錠を許可するか否かを設定する設定部１８を更に備えている。そのため、電気錠５０の解錠を許可するように設定された比較用画像に含まれる人物が訪問した場合には、ユーザが操作しなくても電気錠５０を解錠することができ、利便性を向上させることができる。また、電気錠５０の解錠を許可しないように設定された比較用画像に含まれる人物が訪問した場合には、電気錠５０が解錠されないので、防犯性を向上させることができる。
【０１０４】
なお、実施形態２で説明した構成は、実施形態１で説明した構成（変形例を含む）と適宜組み合わせて適用可能である。
【０１０５】
（実施形態３）
本実施形態に係るインターホンシステム１０は、比較用画像として複数枚の録画画像からなる画像群をユーザに選択させる点で実施形態１，２に係るインターホンシステム１０と異なっている。なお、インターホンシステム１０の構成については実施形態１と同様であり、ここでは詳細な説明を省略する。以下、本実施形態に係るインターホンシステム１０の動作（登録動作）について、図８を参照して説明する。
【０１０６】
ユーザが、親機側表示部１３に表示されているメニュー画面において「登録」を選択すると（ステップＳ６０１）、親機側制御部１１は、親機側記憶部１６に記憶されている複数の画像群を読み出し、これらの画像群を親機側表示部１３に表示させる。ここでいう「画像群」には、一定時間内で取得される複数枚の取得画像が含まれている。ユーザは、親機側表示部１３に表示されている複数の画像群の中からいずれか１つの画像群を選択する（ステップＳ６０２）。そして、ユーザは、選択した画像群を顔認証システム６に転送するために、画像群の転送を選択する（ステップＳ６０３）。
【０１０７】
親機側制御部１１は、ユーザが選択した画像群、及びインターホン親機１のアドレスを含む通信信号を作成し、この通信信号を親機側通信部１２から顔認証システム６に送信させる（ステップＳ６０４）。上記通信信号に含まれるアドレスは、制御装置３においてアドレスから住戸番号に変換される。
【０１０８】
顔認証システム６では、制御部６１は、通信部６２が受信した通信信号に含まれる画像具群の中から認証に適した比較用画像、つまり訪問者の顔が含まれる比較用画像を選択する（ステップＳ６０５）。そして、制御部６１は、選択した比較用画像のデータ（比較用データ）を登録部６３に登録させる（ステップＳ６０６）。このとき、登録部６３は、比較用画像を住戸番号に紐付けて登録する。制御部６１は、比較用画像の登録が完了すると、登録完了通知及び住戸番号を含む通信信号を作成し、この通信信号を通信部６２からインターホン親機１に送信させる（ステップＳ６０７）。上記通信信号に含まれる住戸番号は、制御装置３においてインターホン親機１のアドレスに変換される。
【０１０９】
インターホン親機１では、親機側制御部１１は、親機側通信部１２が受信した通信信号に含まれる登録完了通知により、比較用画像が顔認証システム６で登録されたことを確認する（ステップＳ６０８）。そして、親機側制御部１１は、比較用画像の登録動作を終了する（ステップＳ６０９）。
【０１１０】
本実施形態に係るインターホンシステム１０では、選択部１７は、比較用画像として、録画部１４が録画した複数の共用部１０２の画像からなる画像群をユーザに選択させている。そのため、１つの画像を選択する場合と比較して、映り具合等を気にしながら画像を選択しなくてもよく、画像選択の負担を軽減することができる。
【０１１１】
本実施形態では、上述のように、顔認証システム６の制御部６１が、ユーザが選択した画像群の中から比較用画像を選択している。これに対して、ユーザが、親機側表示部１３に表示させた複数の画像群の中からいずれかの画像群を選択し、さらに選択した画像群の中から比較用画像を選択してもよい。
【０１１２】
なお、実施形態３（変形例を含む）で説明した構成は、実施形態１，２で説明した構成（実施形態１の変形例を含む）と適宜組み合わせて適用可能である。
【０１１３】
（まとめ）
以上説明したように、第１の態様に係るインターホンシステム（１０）は、取得部（２３）と、録画部（１４）と、選択部（１７）と、登録部（６３）と、を備える。取得部（２３）は、施設（１００）の共用部（１０２）の画像を取得する。録画部（１４）は、取得部（２３）が取得した共用部（１０２）の画像を録画する。選択部（１７）は、録画部（１４）が録画した共用部（１０２）の画像の中から訪問者の顔が含まれる比較用画像をユーザに選択させる。登録部（６３）は、選択部（１７）で選択された比較用画像又は比較用画像から抽出した顔特徴量を、訪問者の顔認証を行う顔認証システム（６）の比較用データとして登録する。
【０１１４】
この態様によれば、録画部（１４）が録画した共用部（１０２）の画像（録画画像）の中から比較用画像を選択することができ、顔認証に適した比較用画像を選択することで訪問者の認証精度を向上させることができる。
【０１１５】
第２の態様に係るインターホンシステム（１０）は、第１の態様において、顔認証システム（６）と連携するように構成されている。
【０１１６】
この態様によれば、選択部（１７）で選択された比較用画像に基づいて顔認証を行うことができる。
【０１１７】
第３の態様に係るインターホンシステム（１０）は、第１又は２の態様において、インターホン子機（２）と、インターホン親機（１）と、を備える。インターホン子機（２）は、共用部（１０２）に設けられている。インターホン親機（１）は、施設（１００）のうち共用部（１０２）とは異なる専有部（１０１）に設けられている。インターホンシステム（１０）では、インターホン子機（２）からの呼び出しをトリガにしてインターホン子機（２）とインターホン親機（１）とが通話可能である。選択部（１７）は、第１画像、第２画像及び第３画像の中から比較用画像をユーザに選択させる。第１画像は、インターホン子機（２）からの呼び出し前に取得部（２３）が取得した共用部（１０２）の画像である。第２画像は、インターホン子機（２）からの呼び出し中に取得部（２３）が取得した共用部（１０２）の画像である。第３画像は、インターホン子機（２）とインターホン親機（１）との通話中に取得部（２３）が取得した共用部（１０２）の画像である。
【０１１８】
この態様によれば、第１画像、第２画像及び第３画像の中から顔認証に適した比較用画像をユーザに選択させることができる。
【０１１９】
第４の態様に係るインターホンシステム（１０）では、第３の態様において、選択部（１７）は、第１画像、第２画像、及び第３画像のいずれか１つの中から比較用画像をユーザに選択させる。
【０１２０】
この態様によれば、第１画像、第２画像又は第３画像の中から顔認証に適した比較用画像を選択することができる。
【０１２１】
第５の態様に係るインターホンシステム（１０）では、第１又は２の態様において、選択部（１７）は、比較用画像として録画部（１４）が録画した複数の共用部（１０２）の画像からなる画像群をユーザに選択させる。
【０１２２】
この態様によれば、複数の画像からなる画像群を選択するので、１つの画像を選択する場合と比較して映り具合等を気にしながら画像を選択しなくてもよく、画像選択の負担を軽減することができる。
【０１２３】
第６の態様に係るインターホンシステム（１０）では、第１〜５のいずれかの態様において、顔認証システム（６）は、認証用データと比較用データとを比較することによって訪問者の顔認証を行う。認証用データは、取得部（２３）が取得した共用部（１０２）の画像に基づくデータである。比較用データは、登録部（６３）に登録されているデータである。インターホンシステム（１０）は、顔認証システム（６）の認証結果に応じて共用部（１０２）に設けられた電気錠（５１）の解錠を許可するか否かを判定する判定部（６１）を更に備える。
【０１２４】
この態様によれば、顔認証システム（６１）の認証結果に応じて電気錠（５１）を解錠することができ、利便性を向上させることができる。
【０１２５】
第７の態様に係るインターホンシステム（１０）は、第６の態様において、選択部（１７）で選択された比較用画像に対して電気錠（５１）の解錠を許可するか否かを設定する設定部（１８）を更に備える。
【０１２６】
この態様によれば、電気錠（５１）の解錠を許可するように設定された比較用画像に含まれる訪問者が訪問した場合には、ユーザが操作しなくても電気錠（５１）を解錠することができ、利便性を向上させることができる。また、電気錠（５１）の解錠を許可しないように設定された比較用画像に含まれる訪問者が訪問した場合には、電気錠（５１）が解錠されないので、防犯性を向上させることができる。
【０１２７】
第８の態様に係るインターホンシステム（１０）は、第１〜７のいずれかの態様において、顔認証システム（６）を更に備える。
【０１２８】
この態様によれば、顔認証システム（６）がインターホンシステム（１０）に組み込まれており、新たな顔認証システムが不要であるという利点がある。
【０１２９】
第９の態様に係る登録方法は、取得ステップと、録画ステップと、選択ステップと、登録ステップと、を備える。取得ステップは、施設（１００）の共用部（１０２）の画像を取得するステップである。録画ステップは、取得ステップで取得した共用部（１０２）の画像を録画するステップである。選択ステップは、録画ステップで録画した共用部（１０２）の画像の中から訪問者の顔が含まれる比較用画像をユーザに選択させるステップである。登録ステップは、選択ステップで選択された比較用画像又は比較用画像から抽出した顔特徴量を、訪問者の顔認証を行う顔認証システム（６）の比較用データとして登録するステップである。
【０１３０】
この態様によれば、録画ステップで録画した共用部（１０２）の画像の中から比較用画像を選択することができ、顔認証に適した比較用画像を選択することで訪問者の認証精度を向上させることができる。
【０１３１】
第１０の態様に係るプログラムは、コンピュータシステムに、第９の態様の登録方法を実行させるためのプログラムである。
【０１３２】
この態様によれば、録画ステップで録画した共用部（１０２）の画像の中から比較用画像を選択することができ、顔認証に適した比較用画像を選択することで訪問者の認証精度を向上させることができる。
【０１３３】
第２〜８の態様に係る構成については、インターホンシステム（１０）の必須の構成ではなく、適宜省略可能である。
【符号の説明】
【０１３４】
１  インターホン親機
１４  録画部
１７  選択部
１８  設定部
２  インターホン子機
２３  取得部
６  顔認証システム
６１  判定部
６３  登録部
１０  インターホンシステム
５１  電気錠
１００  施設
１０１  専有部
１０２  共用部
【図１】
2019134390.tif 000003
【図２】
2019134390.tif 000004
【図３】
2019134390.tif 000005
【図４】
2019134390.tif 000006
【図５】
2019134390.tif 000007
【図６】
2019134390.tif 000008
【図７】
2019134390.tif 000009
【図８】
2019134390.tif 000010